(57)【要約】【課題】複雑な装置であっても、点検すべき項目を実用的に絞り込むことが可能な点検項目抽出方法、および点検方法を提供する。【解決手段】  複数の部品で構成された装置の各部品を記載した部品リストを作し、部品リストに記載された各部品について、装置中で使用中に生じる部品劣化が確認される部品検査項目をその部品リストに追記し、装置が有する機能を発揮するためにその装置で生じる動作および／または状態を記載した動作状態リストを作り、動作状態リストに記載された個々の動作および／または状態について、動作および／または状態の変化が確認される動作状態検査項目をその動作状態リストに追記し、部品リストの部品検査項目と前記動作状態リストの動作状態検査項目とについて、装置中で現実に因果関係を持って対応しているものを確認して対応表を作り、対応表中で複数の部品検査項目と対応している動作状態検査項目を探す。【選択図】        図３
2011197897.tif 000002
【特許請求の範囲】
【請求項１】
複数の部品で構成された装置の各部品を記載した部品リストを作る部品リスト作成ステップと、
前記部品リストに記載された各部品について、前記装置中で使用中に生じる部品劣化が確認される部品検査項目をその部品リストに追記する部品検査項目追記ステップと、
前記装置が有する機能を発揮するためにその装置で生じる動作および／または状態を記載した動作状態リストを作る動作状態リスト作成ステップと、
前記動作状態リストに記載された個々の動作および／または状態について、動作および／または状態の変化が確認される動作状態検査項目をその動作状態リストに追記する状態検査項目追記ステップと、
前記部品リストの部品検査項目と前記動作状態リストの動作状態検査項目とについて、前記装置中で現実に因果関係を持って対応しているものを確認して対応表を作る対応表作成ステップと、
前記対応表中で複数の部品検査項目と対応している動作状態検査項目を探す検査項目探査ステップとを有することを特徴とする点検項目抽出方法。
【請求項２】
前記検査項目探査ステップが、前記対応表中の複数の動作状態検査項目のうち、対応している部品検査項目の数が、他の動作状態検査項目に対応している部品検査項目の数よりも多い動作状態検査項目を探すステップであることを特徴とする請求項１記載の点検項目抽出方法。
【請求項３】
複数の部品で構成された装置の各部品を記載した部品リストを作る部品リスト作成ステップと、
前記部品リストに記載された各部品について、前記装置中で使用中に生じる部品劣化が確認される部品検査項目をその部品リストに追記する部品検査項目追記ステップと、
前記装置が有する機能を発揮するためにその装置で生じる動作および／または状態を記載した動作状態リストを作る動作状態リスト作成ステップと、
前記動作状態リストに記載された個々の動作および／または状態について、動作および／または状態の変化が確認される動作状態検査項目をその動作状態リストに追記する状態検査項目追記ステップと、
前記部品リストの部品検査項目と前記動作状態リストの動作状態検査項目とについて、前記装置中で現実に因果関係を持って対応しているものを確認して対応表を作る対応表作成ステップと、
前記対応表中で複数の部品検査項目と対応している動作状態検査項目を探す検査項目探査ステップと、
前記検査項目探査ステップ結果として、見つかった動作状態検査項目について、前記装置に対して定期的に点検する点検ステップとを有することを特徴とする点検方法。
【請求項４】
前記検査項目探査ステップが、前記対応表中の複数の動作状態検査項目のうち、対応している部品検査項目の数が、他の動作状態検査項目に対応している部品検査項目の数よりも多い動作状態検査項目を探すステップであることを特徴とする請求項３記載の点検方法。
【発明の詳細な説明】
【技術分野】
【０００１】
本発明は、点検項目抽出方法、およびその点検項目抽出方法を用いた点検方法に関する。
【背景技術】
【０００２】
例えば工業製品を製造するプラントに代表される、多数の部品で構成された装置の運用では、運転中断による製品品質や製造効率の低下を抑えるため、保守点検が重視されている。
【０００３】
部品故障による装置の運転中断を抑える方法として、各部品について、例えばバスタブ曲線によって表される標準的な寿命を把握しておき、標準寿命に対し余裕を見込んだ短い期間で無条件に交換していく方法がある。しかし、この方法では、個々の部品は、実際の劣化が考慮されずに交換されていくため、部品の無駄な廃棄が避けられない。
【０００４】
また、別の方法として、装置を構成する個々の部品すべての状態を点検し、状態が劣化した部品を交換する方法も知られている。しかし、工場のプラントのような大規模な装置は多数の部品で構成されている。これらすべての部品の状態を点検しようとすると、点検項目が膨大となり、点検周期が部品劣化の進行に追いつかず、却って故障を招くおそれがある。
【０００５】
このように、部品の劣化による状態の検査によって、装置の保守を行う、いわゆる結果系管理では、部品の無駄または点検漏れのリスクが大きい。そこで、装置の機能を検査することによって、原因としての劣化部品を探る、いわゆる原因系管理が考えられている。
【０００６】
例えば、用紙に画像を形成するプリンタにおいて、用紙の搬送経路上に用紙タイミングセンサを設けて、用紙の通過時間を判断してジャムを検知し、以降の用紙搬送を中止することが知られている（例えば、特許文献１参照。）。
【０００７】
また、プラント監視装置において、プラントを階層的に整理した機能階層モデルの各ノードで、各プラント機能が正常か異常かを判断するための知識を管理することが知られている（例えば、特許文献２参照。）。このプラント管理装置では、異常検出時には、階層関係に基づきグループ化して情報を提示する。
【先行技術文献】
【特許文献】
【０００８】
【特許文献１】特開２００５−３３５５９号公報
【特許文献２】特開平６−１３７９０９号公報
【発明の概要】
【発明が解決しようとする課題】
【０００９】
プリンタのような用紙搬送を単純に処理する装置であれば、各センサの通過タイミングによって、搬送経路上の劣化領域を特定することは容易であるが、複雑な処理を行うプラントでは、処理対象の通過時間だけで部品の劣化を判定することは容易でない。また、上記特許文献２に示すように、プラントが階層的にモデル化してありさえすれば、異常検出時等に情報を提示することは容易になるものの、階層的にモデル化することは困難である。上記特許文献２には、任意のプラントをどのようにして階層的にモデル化するかが説明されておらず、この結果、プラントの階層的なモデル化は、熟練者の経験と勘に頼ることとなり、実用的でない。
【００１０】
本発明は上記問題点を解決し、対象が複雑な装置でも、点検すべき項目を客観的に絞り込むことが可能な点検項目抽出方法、および点検方法を提供することを目的とするものである。
【課題を解決するための手段】
【００１１】
上記目的を達成する本発明の点検項目抽出方法は、
複数の部品で構成された装置の各部品を記載した部品リストを作る部品リスト作成ステップと、
上記部品リストに記載された各部品について、上記装置中で使用中に生じる部品劣化が確認される部品検査項目をその部品リストに追記する部品検査項目追記ステップと、
上記装置が有する機能を発揮するためにその装置で生じる動作および／または状態を記載した動作状態リストを作る動作状態リスト作成ステップと、
上記動作状態リストに記載された個々の動作および／または状態について、動作および／または状態の変化が確認される動作状態検査項目をその動作状態リストに追記する状態検査項目追記ステップと、
上記部品リストの部品検査項目と上記動作状態リストの動作状態検査項目とについて、上記装置中で現実に因果関係を持って対応しているものを確認して対応表を作る対応表作成ステップと、
上記対応表中で複数の部品検査項目と対応している動作状態検査項目を探す検査項目探査ステップとを有することを特徴とする。
【００１２】
本発明の点検項目抽出方法では、部品リストに追記された部品検査項目と、装置で生じる動作および／または状態の動作状態リストに追記された動作状態検査項目とから対応表を作成することによって、複数の部品検査項目と対応している動作状態検査項目を探すことが可能となり、複数の部品検査項目と対応している検査項目を客観的に絞り込むことが可能となる。検査項目が絞り込まれることで、複雑な装置であっても、短い周期で検査を行うことが可能となる。
【００１３】
ここで、上記本発明の点検項目抽出方法において、上記検査項目探査ステップは、上記対応表中の複数の動作状態検査項目のうち、対応している部品検査項目の数が、他の動作状態検査項目に対応している部品検査項目の数よりも多い動作状態検査項目を探すステップであることが好ましい。
【００１４】
対応している部品検査項目の多い動作状態検査項目を実際に検査する項目とすることにより、総合的な検査項目数を効率的に減少させることができる。
【００１５】
また、上記目的を達成する本発明の点検方法は、
複数の部品で構成された装置の各部品を記載した部品リストを作る部品リスト作成ステップと、
上記部品リストに記載された各部品について、上記装置中で使用中に生じる部品劣化が確認される部品検査項目をその部品リストに追記する部品検査項目追記ステップと、
上記装置が有する機能を発揮するためにその装置で生じる動作および／または状態を記載した動作状態リストを作る動作状態リスト作成ステップと、
上記動作状態リストに記載された個々の動作および／または状態について、動作および／または状態の変化が確認される動作状態検査項目をその動作状態リストに追記する状態検査項目追記ステップと、
上記部品リストの部品検査項目と上記動作状態リストの動作状態検査項目とについて、上記装置中で現実に因果関係を持って対応しているものを確認して対応表を作る対応表作成ステップと、
上記対応表中で複数の部品検査項目と対応している動作状態検査項目を探す検査項目探査ステップと、
上記検査項目探査ステップ結果として、見つかった動作状態検査項目について、上記装置に対して定期的に点検する点検ステップとを有することを特徴とする。
【００１６】
本発明の点検方法によれば、検査項目が、複数の部品検査項目と対応しているものとして探し出された項目に絞り込まれるので、短い周期で検査の周期を短縮することができ、装置の故障を抑えつつ、部品を実際の寿命まで活用することができる。
【００１７】
また、上記本発明の点検方法においても、上記検査項目探査ステップは、上記対応表中の複数の動作状態検査項目のうち、対応している部品検査項目の数が、他の動作状態検査項目に対応している部品検査項目の数よりも多い動作状態検査項目を探すステップであることが好ましい。
【発明の効果】
【００１８】
以上説明したように、本発明によれば、複雑な装置であっても、点検すべき項目を実用的に絞り込むことが可能な点検項目抽出方法および点検方法が実現する。
【図面の簡単な説明】
【００１９】
【図１】本発明の実施形態の点検対象例としての装置を示す構成図である。
【図２】本発明の実施形態の点検対象例としての装置を示すもう一つの構成図である。
【図３】本発明の点検項目抽出方法の一実施形態を示すフローチャートである。
【図４】図１に示す装置のうちの第４工程装置の詳細を示す構成図である。
【図５】第４工程装置の部品リストである。
【図６】図５に示す部品リストに、部品検査項目が追記されたリストである。
【図７】第４工程装置の動作状態リストである。
【図８】動作状態検査項目が追記された動作状態リストである。
【図９】図６に示す部品リストの部品検査項目と、図８に示す動作状態検査項目とについて、対応しているものに印を追記した対応リストである。
【図１０】本発明の点検方法の一実施形態を説明するフローチャートである。
【図１１】本実施形態の点検項目抽出方法を図１に示す装置の第１工程装置について実施して作成されたリストである。
【図１２】第１工程装置１の動作状態リストである。
【図１３】図１１に示す部品リストの部品検査項目と、図１２に示す動作状態検査項目とについて、対応しているものに印を追記した対応リストである。
【発明を実施するための形態】
【００２０】
以下図面を参照して本発明の実施の形態を説明する。
【００２１】
図１および図２は、本発明の実施形態である点検項目抽出方法および点検方法の点検対象例としての装置を示す構成図である。
【００２２】
図１および図２に示す装置１０は、連続したウエブ表面に複数の層を形成することによって印画紙を製造するプラントである。装置１０は、第１工程装置１、第２工程装置２、第３工程装置３、第４工程装置４、第５工程装置５、第６工程装置６、第７工程装置７、第８工程装置８、および、第９工程装置９を備えている。装置１０の各工程装置１〜９は、図１と図２とに分かれて示されている。具体的には、第１工程装置１から第５工程装置５までと、第７工程装置７から第９工程装置９までとが、図１に示されている。第６工程装置６が図２に示されている。
【００２３】
装置１０は、一連に続いた長尺のウエブを第１工程装置１から第９工程装置９まで送って、第１工程装置１から第９工程装置９までの工程を順次通過させる。ウエブは、第１工程装置１から第９工程装置９に至るまで１つに繋がっている。
【００２４】
例えば、第１工程装置１は、ウエブを１つに繋ぎあわせて他の工程装置に供給する供給装置であり、旋回自在なターレット１１を備えている。ターレット１１が備える不図示の２つの送出軸には、原料となるウエブが巻いたロール１２，１３が２つ装着される。第１工程装置１は、２つのウエブのロール１２，１３のうち一方のウエブのロール１２からウエブを引き出して、第２工程装置２に供給する。この一方のロール１２からウエブの最後の端が引き出されると、ターレット１１が半回転分旋回し、今度は他方のロール２３からウエブの引き出しが開始する。第１工程装置１は、後から引き出されたウエブの先端を、先に引き出されたウエブの後端に接続する。上記他方のロール２３からウエブが引き出されている間に、ターレット１１には、ウエブの引き出しが完了したロールに替えて、新たなロールが装着される。このようにして、第１工程装置１は、エンドレスに繋がったウエブを供給する。
【００２５】
第１工程装置１から供給されたウエブは、第２工程装置２で供給速度が調整され、次に、第３工程装置で除塵装置３ａによる除塵が行われる。次に、ウエブは、第４工程装置によって熱処理が施された後、第５工程装置５、第６工程装置６、第７工程装置７、第８工程装置８、および、第９工程装置９によって順に処理される。これら第５工程装置５〜第９工程装置９の処理における処理の詳細は、本実施形態の点検項目抽出方法および点検方法の説明とは直接関係しないので省略する。処理が完了したウエブは、第９処理装置９が備えるワインダ９１によって巻き取られる。
【００２６】
図１および図２に示すように、装置１０は、第１工程装置１〜第９工程装置９による種々の処理を施す。処理対象のウエブは、上述したように連続体であるため、上流側の装置による処理を行いつつ下流側の装置による処理を停止するといったことができない。つまり、第１工程装置１〜第９工程装置９のいずれに故障があっても、直ちに残りの工程装置の運転に支障を来たす。このように、装置１０における装置の運転支障とその原因となる部品の故障とは複雑に関係している。装置１０の点検では、第１工程装置１〜第９工程装置９のすべてが備える多数の部品の劣化を検知する必要がある。
【００２７】
図３は、本発明の点検項目抽出方法の一実施形態を示すフローチャートである。
【００２８】
図３に示す点検項目抽出方法は、部品リスト作成ステップ（Ｓ１１）、部品検査項目追記ステップ（Ｓ１２）、動作状態リスト作成ステップ（Ｓ１３）、状態検査項目追記ステップ（Ｓ１４）、対応表作成ステップ（Ｓ１５）、および、検査項目探査ステップ（Ｓ１６）を有する。
【００２９】
以下に、点検項目抽出方法の各ステップを説明するが、ここでは、図１および図２に示す装置１０のうち、第４工程装置４を対象として、点検項目抽出方法を実施する例を説明する。まず先に、点検項目抽出の対象となる第４工程を、より詳細に説明する。
【００３０】
図４は、図１に示す装置のうちの第４工程装置の詳細を示す構成図である。図４には、第４工程装置４が、前段の、除塵装置３ａを含む第３工程装置３とともに示されている。
【００３１】
第４工程装置４は、第３工程装置３で除塵処理が施されたウエブに熱処理を施す装置である。第４工程装置４は、４つのヒートロール４１ａ，４１ｂ，４１ｃ，４１ｄ、４つの冷却ロール４２ａ，４２ｂ，４２ｃ，４２ｄ、１２のパスロール４３ａ，４３ｂ，４３ｃ，４３ｄ，４３ｅ，４３ｆ，４３ｇ，４３ｈ，４３ｉ，４３ｊ，４３ｋ，４３ｌ、および、５つのテンションロール４４ａ，４４ｂ，４４ｃ，４４ｄを備えている。これらのロールは、いずれも周面にウエブが架け渡されるものであり、ウエブの移動とともに回転する。
【００３２】
ヒートロール４１ａ〜４１ｄは、ヒータを内蔵しており、ウエブを加熱する。ヒートロール４１ａ〜４１ｄは、例えば回転駆動源に架け渡されたポリベルトを介して駆動力が伝達され、回転駆動される。冷却ロール４２ａ〜４２ｄは、ウエブを冷却するロールである。冷却ロール４２ａ〜４２ｄのそれぞれは、図示はしないが、冷却水が通過する芯部と、この芯部を取り囲んで回転する回転筒とからなる２重構造を有しており、回転筒は、ロータリージョイントや伝導軸を介して回転自在に支持されている。パスロール４３ａ〜４３ｌおよびテンションロール４４ａ〜４４ｄは、ウエブを所定の経路に沿って案内するためのものである。特に、テンションロール４４ａ〜４４ｄは、ウエブに張力（テンション）を付与するため、冷却ロール４２ａ〜４２ｄから遠ざかる方向に力が付与されている。
【００３３】
続いて、図３に示す点検項目抽出方法をステップの順に説明する。
【００３４】
まず、部品リスト作成ステップ（Ｓ１１）では、装置の各部品を記載した部品リストを作る。
【００３５】
図５は、第４工程装置の部品リストである。
【００３６】
図５の部品リストには、部位「ＴＭ」で表される第４工程装置４を構成する各装置、各装置の要素機器、および要素部品が列挙されている。装置欄の「冷却ロール装置」、「冷却ロール装置１」、「冷却ロール装置２」、および「冷却ロール装置３」は、図４に示す冷却ロール４２ａ〜４２ｄをそれぞれ表し、「ヒートロール装置１」、「ヒートロール装置２」、「ヒートロール装置３」、および「ヒートロール装置４」は、図４に示すヒートロール４１ａ〜４１ｄをそれぞれ表している。なお、図５では、煩雑なリストによる分かり難さを避けるため、リストのうち、第４工程装置４の主要な機器であるヒートロール４１ａ〜４１ｄ、および冷却ロール４２ａ〜４２ｄまで示されている。また、部品リストの要素機器欄には、装置の要素機器および要素部品が挙げられている。例えば、冷却ロール１の要素機器として伝導軸およびロータリージョイントが挙げられており、その要素部品としてベアリングが挙げられている。
【００３７】
次に、部品検査項目追記ステップ（図３のＳ１２）では、部品リストに記載された各部品について、装置１０（図１，２）中で使用中に生じる部品劣化が確認される部品検査項目をその部品リストに追記する。
【００３８】
図６は、図５に示す部品リストに、部品検査項目が追記されたリストである。
【００３９】
部品検査項目追記ステップ（Ｓ１２）では、図５に示す部品リストの要素部品のそれぞれについて、装置１０（図１，２）中で使用中にどんな劣化が生じるか、劣化したらどんな症状が出るかを追記し、さらに、劣化の症状を示す具体的な変化現象を追記する。この変化現象は、対象の要素部品が装置中で担う機能に基づいて、装置中におけるその要素部品の箇所に現れる変化現象である。
【００４０】
例えば、「冷却ロール装置１」のベアリングについて、使用中に疲労または磨耗といった劣化が生じ、その結果、症状として、異音の発生や振動の増大が生じ、また、回転不良となることが追記されている。またさらに、ベアリングの異音・振動の症状の具体的な変化現象として、冷却ロール１の異音・振動が挙げられている。また、冷却ロール装置１のベアリングは、第４工程装置の中で、ウエブにテンションを付与した状態で搬送する機能に関連する。この観点から、ベアリングの回転不良の症状の具体的な変化現象として、ウエブのテンション異常が挙げられている。このテンション異常は、このベアリングが備えられた冷却ロール装置１の箇所でのテンション異常である。従って、従来の検査方法では、図６に挙げられた現象を一つひとつ点検していくこととなり、点検項目が膨大となる。
【００４１】
次に、本実施形態における動作状態リスト作成ステップ（図３のＳ１３）では、第４工程装置４（図１参照）が有する機能を発揮するために、第４工程装置４で生じる動作および／または状態を記載した動作状態リストを作る。
【００４２】
図７は、第４工程装置４の動作状態リストである。
【００４３】
図７の動作状態リストの「動作」欄には、第４工程装置４の基本的な動作機能として、ウエブを均等に熱処理することが挙げられている。動作状態リストの「要求機能」欄には、そのために、装置１０で生じる動作および／または状態として、ウエブ全体に亘り一定のウエブ張力（テンション）でウエブを搬送させることと、ウエブの滑らかな搬送が挙げられている。
【００４４】
次に、状態検査項目追記ステップ（図３のＳ１４）では、図７に示す動作状態リストに記載された個々の動作および／または状態について、動作および／または状態の変化が確認される動作状態検査項目を、動作状態リストに追記する。
【００４５】
図８は、動作状態検査項目が追記された動作状態リストである。
【００４６】
図８の動作状態リストには、「要求機能」欄に記載された、一定のウエブ張力について、ロールのテンションの検査が挙げられている。ここで、ロールのテンションとは、図４に示すテンションロール４４ａ〜４４ｄに付与された力であり、例えばテンションロール４４ａ〜４４ｄのうち一つのテンションロール４４ｄの軸受に取り付けられたセンサによって測定されるものである。テンションロール４４ｄに付与された力は、第４工程装置４を搬送されるウエブ全体に生じる張力の代表として、テンションロール４４ｄにおけるウエブの張力を表している。
【００４７】
また、五感診断は、視覚、聴覚、嗅覚、および触覚のいずれかまたは組合せを用いて診断する検査である。なお、ここで、五感診断は、人間の感覚器官を用いて判断するものに限られず、感覚器官に対応する人工のセンサを用いて検査するものも含まれる。
【００４８】
次に、対応表作成ステップ（図３のＳ１５）では、部品検査項目追記ステップ（Ｓ１２）で追記した部品リストの部品検査項目と、状態検査項目追記ステップ（Ｓ１４）で追記した動作状態リストの動作状態検査項目とについて、前記装置中で現実に因果関係を持って対応しているものを確認して対応表を作る。すなわち、部品検査項目にある各機能の不良が、動作状態リスト中の動作状態検査項目の各々に実際に影響を及ぼしているか否かを順に確認していく。
【００４９】
因果関係を実際に確認する手法としては、例えば、部品点検項目で検出できる劣化を生じている部品を装着してみて、各状態検査項目での検出が可能か否か確かめるという手法が考えられる。
【００５０】
図９は、図６に示す部品リストの部品検査項目と、図８に示す動作状態検査項目とについて、対応しているものに印を追記した対応リストである。具体的には、図９のうち、図６に対し動作状態検査項目欄として追記された部分が対応リストである。
【００５１】
図９における対応リスト、すなわち動作状態検査項目欄の、１から７までの番号は、図８の動作状態リストにおける、動作状態検査項目の番号と同じである。
【００５２】
例えば、「冷却ロール装置１」の「ベアリング」についての「疲労、磨耗」を検査する部品検査項目として、「冷却ロール１異音・振動」がある。「冷却ロール１」すなわち図４に示す冷却ロール４２ｂの異音振動は、動作状態検査項目における冷却ロールの五感診断に影響を与える項目である。したがって、「冷却ロール装置１」の「ベアリング」についての「冷却ロール１異音・振動」に対応する動作状態検査項目欄では、対応する「２」の欄に印が付される。また、「冷却ロール装置１」の「ベアリング」についての「疲労、磨耗」を検査する別の部品検査項目として、回転不良によるウエブテンション異常がある。冷却ロール４２ｂのベアリング異常により回転不良が起きると、冷却ロール４２ｂで搬送されるウエブのその箇所でテンションに異常が生じる。そのような局所的なテンション異常が、テンションロール４４ａ〜４４ｄを搬送されるウエブ全体に亘るテンションの代表箇所での検査値に影響することが確認された結果として、「冷却ロール装置１」の「ベアリング」についての「ウエブテンション異常」に対応する動作状態検査項目欄では、「１」の欄に印が付されている。
【００５３】
このようにして、すべての要素部品について、動作状態検査項目に対する因果関係を確認する。
【００５４】
次に、検査項目探査ステップ（図３のＳ１６）では、対応表中で複数の部品検査項目と対応している動作状態検査項目を探す。検査項目探査ステップでは、動作状態検査項目のうち、対応している部品検査項目の数が、他の動作状態検査項目に対応している部品検査項目の数よりも多い動作状態検査項目を探す。例えば、図９に示す対応リスト、すなわち動作状態検査項目欄の１から７までの項目のうち、「１」のテンション異常は、対応している要素部品の数が１５であり、「２」や「３」といった他の項目よりも対応している要素部品が多い。そこで、検査項目探査ステップでは、「１」の動作状態検査項目を選択する。図９に示すリストの例では、動作状態検査項目の「１」、すなわちテンションロール４４ａ〜４４ｄのテンション異常を検査すると、この１つの項目の検査によって、リストに挙げられた要素部品のすべての劣化が網羅されることになる。なお、選択した動作状態検査項目への対応から漏れた要素部品があれば、さらに別の動作状態検査項目を選択する。リストに挙げられた動作状態検査項目をすべて選択しても対応から漏れて残った要素部品については、例外として、部品の状態を個別に検査するものとする。
【００５５】
上述した点検項目抽出方法を、装置１０（図１，２）のすべての工程装置について実施することで、装置１０の動作状態検査項目が抽出される。
【００５６】
このように、本実施形態の点検項目抽出方法によれば、図９に示す対応表を作成することによって、複数の要素部品と対応している動作状態検査項目を探すことが可能となり、経験と勘に依存することなく、複数の要素部品と対応している検査項目をより客観的に絞り込むことが可能となる。
【００５７】
続いて、本発明の点検方法の一実施形態について説明する。
【００５８】
図１０は、本発明の点検方法の一実施形態を説明するフローチャートである。
【００５９】
図１０に示す点検方法は、図１および図２に示す装置１０を点検する方法であり、定期点検ステップ（Ｓ２１）、劣化検出ステップ（Ｓ２２）、個別点検ステップ（Ｓ２３）、および修理・交換ステップ（Ｓ２４）を有する。
【００６０】
定期点検ステップ（Ｓ２１）は、定期的に実施されるステップである。この定期点検ステップ（Ｓ２１）では、装置１０（図１，２）に対し、上述した点検項目抽出方法により抽出された動作状態検査項目を検査する。抽出された動作状態検査項目は、例えば図６のリストに示すような、個々の部品の状態を検査するための項目に比べ項目が少ない。したがって、例えば、数日毎あるいは数時間毎といった短い周期で、個々の部品の状態を網羅した検査を実行することができる。
【００６１】
定期点検ステップ（Ｓ２１）の結果、劣化が検出されないと判断した場合には（Ｓ２２でＮｏ）、定期点検ステップ（Ｓ２１）を繰り返すこととなる。劣化が検出されたと判断した場合には（Ｓ２２でＹｅｓ）、個別点検ステップ（Ｓ２３）で、個々の部品を点検する。より詳細には、図９のリストを参照して、定期点検ステップ（Ｓ２１）における劣化が検出された動作状態検査項目に該当する部品を個別に検査していく。個別点検ステップ（Ｓ２３）で個別に点検すべき部品は、定期点検ステップ（Ｓ２１）の動作状態検査項目により絞り込まれているので、個別点検ステップ（Ｓ２３）に要する時間および手間は軽減される。
【００６２】
最後に、個別点検ステップ（Ｓ２３）で劣化が検出された部品は、修理・交換ステップ（Ｓ２４）で修理または交換する。
【００６３】
このように、本実施形態の点検方法によれば、点検項目抽出方法により絞り込まれた動作状態検査項目を検査することによって、短い周期で、個々の部品の状態を網羅した検査を定期的に実行することができる。
【００６４】
上述した実施形態では、図１および図２に示す装置１０のうちの第４工程装置４について、点検項目抽出方法を実施した例を説明したが、点検項目抽出方法は、残りの工程装置についても実施される。
【００６５】
図１１は、本実施形態の点検項目抽出方法を図１に示す装置１０の第１工程装置１について実施して作成された部品リストである。
【００６６】
図１１の部品リストは、部品リスト作成ステップ（図３のＳ１１）で作成された、第１工程装置１の部品のリストに、さらに、部品検査項目追記ステップ（図３のＳ１２）で、部品劣化が確認される部品検査項目が追記されたリストである。
【００６７】
図１１の部品リストによれば、例えば、部位「ＵＷ」で表される第１工程装置１は、ウエブを送出する送出軸を有し、送出軸は駆動装置を有し、駆動装置は直流モータを有している。さらに、直流モータは、ベアリング、コイル、および、ブラシといった要素部品を有している。例えば、ベアリングの劣化には疲労があり、疲労は異音、振動増加、発熱、および負荷増加として確認される。
【００６８】
図１２は、第１工程装置１の動作状態リストである。
【００６９】
図１２の動作状態リストは、動作状態リスト作成ステップ（図３のＳ１３）で作成された動作状態リストに、さらに、状態検査項目追記ステップ（図３のＳ１４）で動作および／または状態の変化が確認される動作状態検査項目が追記されたリストである。
【００７０】
図１２の動作状態リストの「動作」欄には、第１工程装置１の基本的な動作機能として、例えば、実ロールの回転が挙げられている。動作状態リストの「要求機能」欄には、そのために、装置１０で生じる動作および／または状態として、一定速度で回転することが挙げられている。さらに、動作状態リストの「要求機能」欄に記載された、一定速度について、動作状態検査項目として、実ロール回転速度が追記されている。なお、図１２の動作状態リストの項目１〜８までは、第１工程装置１の基本的な動作機能に基づく動作状態検査項目であるが、項目９〜１９までは、後に説明する対応表を網羅する便宜上付加した項目である。
【００７１】
図１３は、図１１に示す部品リストの部品検査項目と、図１２に示す動作状態検査項目とについて、対応しているものに印を追記した対応リストである。具体的には、図１３のうち、図１１に対し動作状態検査項目欄として追記された部分が対応リストである。
【００７２】
図１３における対応リスト、すなわち動作状態検査項目欄の、１から１９までの番号は、図１２の動作状態リストにおける、動作状態検査項目の番号と同じである。
【００７３】
例えば、「送出軸」の「直流モータ」の「ベアリング」についての「疲労」を検査する部品検査項目として、異音・振動・発熱・負荷がある。負荷は、動作状態検査項目における実ロールの回転速度に影響を与える項目である。したがって、「送出軸」の「直流モータ」の「ベアリング」についての「異音・振動・発熱・負荷」に対応する動作状態検査項目欄では、対応する「１」の欄に印が付される。また、振動は、動作状態検査項目における送出軸の五感点検に影響を与える項目である。したがって、「送出軸」の「直流モータ」の「ベアリング」についての「異音・振動・発熱・負荷」に対応する動作状態検査項目欄では、対応する「９」の欄にも印が付される。なお、動作状態検査項目のうち、「５」の五感点検は、各部品の点検となるが、図１３の表では、表示スペースの便宜から１つの欄にまとめて示している。
【００７４】
このようにして、すべての要素部品について、動作状態検査項目に対する因果関係を検査する。
【００７５】
本実施形態の点検項目抽出方法における検査項目探査ステップ（図３のＳ１６）では、対応表中で複数の部品検査項目と対応している動作状態検査項目を探す。検査項目探査ステップでは、動作状態検査項目のうち、対応している部品検査項目の数が、他の動作状態検査項目に対応している部品検査項目の数よりも多い動作状態検査項目を探す。ここで、動作状態検査項目は、１つの欄になっているが、実際には、部品それぞれの検査であり、検査項目探査ステップでは、部品ごと１つの項目とみなす。
【００７６】
図１３に示すリストの例から、まず、動作状態検査項目の「５」すなわち油圧の異常を選択する。動作状態検査項目の「５」すなわち油圧の異常を検査すると、この１つの項目の検査によって、リストに挙げられた送出軸装置のダイヤフラム・歪みゲージにおける疲労、ターレット旋回装置のオイルシール・Ｏリングにおける磨耗、送出軸の油圧減圧弁や油圧逆止弁の磨耗・硬化、および、送出軸のリリーフ弁の疲労のすべての劣化が網羅されることになる。つまり、動作状態検査項目の油圧異常の検査は、図１３に示すリストのうち、７つの部品検査項目を検査することに対応する。
【００７７】
このように、本実施形態の点検項目抽出方法によれば、点検すべき項目を客観的に絞り込むことができ、絞り込んだ点検項目によって、個々の部品の状態を網羅した検査を短い周期で実行することができる。
【符号の説明】
【００７８】
１０    装置
Ｓ１１    部品リスト作成ステップ
Ｓ１２    部品検査項目追記ステップ
Ｓ１３    動作状態リスト作成ステップ
Ｓ１４    状態検査項目追記ステップ
Ｓ１５    対応表作成ステップ
Ｓ１６    検査項目探査ステップ
Ｓ２１    定期点検ステップ（点検ステップ）
【図１】
2011197897.tif 000003
【図２】
2011197897.tif 000004
【図３】
2011197897.tif 000005
【図４】
2011197897.tif 000006
【図５】
2011197897.tif 000007
【図６】
2011197897.tif 000008
【図７】
2011197897.tif 000009
【図８】
2011197897.tif 000010
【図９】
2011197897.tif 000011
【図１０】
2011197897.tif 000012
【図１１】
2011197897.tif 000013
【図１２】
2011197897.tif 000014
【図１３】
2011197897.tif 000015